(57)【要約】【課題】  低コスト化並びに小型化に適した冷却ユニットの製造方法を提供する。【解決手段】  冷却ユニットが備える冷却板は、冷却流体が流れる冷却管１４を間に挟んで一対の板状部材１２，１３が対向配置された構成を有している。本発明の製造方法は、一対の板状部材１２，１３の少なくとも一方の対向面１２３，１３３に、冷却管１４を収納する溝部１２２，１３２を形成する溝部形成工程と、冷却管１４を溝部１２２，１３２に収納し、一対の板状部材１２，１３のそれぞれと冷却管１４とを結合させる結合工程と、を有し、結合工程では、一対の板状部材１２，１３の少なくとも一方に対する外力の付加により、溝部１２２，１３２の隣接部位１２７，１３７を変形させてその隣接部位１２７，１３７を冷却管１４と係合させる。【選択図】    図３
2006242415.tif 000002
【特許請求の範囲】
【請求項１】
内部に冷却流体が流れる冷却板を備える冷却ユニットを製造する方法であって、
前記冷却板は、冷却流体が流れる冷却管を間に挟んで一対の板状部材が対向配置された構成を有しており、
前記一対の板状部材の少なくとも一方の対向面に、前記冷却管を収納する溝部を形成する溝部形成工程と、
前記冷却管を前記溝部に収納し、前記一対の板状部材のそれぞれと前記冷却管とを結合させる結合工程と、を有し、
前記結合工程では、前記一対の板状部材の少なくとも一方に対する外力の付加により、前記溝部の隣接部位を変形させて該隣接部位を前記冷却管と係合させることを特徴とする冷却ユニットの製造方法。
【請求項２】
請求項１に記載の製造方法において、
前記溝部形成工程では、鋳造法又は鍛造法を用いて前記溝部を形成することを特徴とする冷却ユニットの製造方法。
【請求項３】
請求項１又は請求項２に記載の製造方法において、
前記溝部と前記冷却管とは、ほぼ同じ大きさの外形部分を有することを特徴とする冷却ユニットの製造方法。
【請求項４】
請求項１から請求項３のいずれかに記載の製造方法において、
前記溝部形成工程では、前記一対の板状部材の少なくとも一方の対向面に、前記溝部に加えて、該溝部に隣接する凹部を形成し、
前記結合工程では、前記溝部と前記凹部との間のバンクを前記溝部の内方に向かって押圧することにより、該バンクを変形させて該バンクの角部を前記冷却管と係合させることを特徴とする冷却ユニットの製造方法。
【請求項５】
請求項４に記載の製造方法において、
前記溝部形成工程ではさらに、前記一対の板状部材の少なくとも一方の対向面に、前記凹部に挿入される凸部を形成し、
前記結合工程では、一方の板状部材の前記凹部と他方の板状部材の前記凸部とを組み合わせることにより、前記バンクを変形させることを特徴とする冷却ユニットの製造方法。
【請求項６】
請求項１から請求項５のいずれかに記載の製造方法において、
前記結合工程では、前記一対の板状部材の少なくとも一方に所定物体を挿入することにより前記溝部を部分的に変形させることを特徴とする冷却ユニットの製造方法。
【請求項７】
請求項６に記載の製造方法において、
前記所定物体が、前記変形部分に代えて、前記冷却管と係合されることを特徴とする冷却ユニットの製造方法。
【請求項８】
請求項１から請求項７のいずれかに記載の製造方法において、
前記溝部と前記冷却管との隙間に熱伝導材を充填する充填工程を、さらに有することを特徴とする冷却ユニットの製造方法。
【請求項９】
請求項８に記載の製造方法において、
前記熱伝導材は、金属材が混入した樹脂材、カーボン材が混入した樹脂材、及びホットメルトのうちの少なくとも１種類を含むことを特徴とする冷却ユニットの製造方法。
【請求項１０】
請求項８又は請求項９に記載の製造方法において、
前記熱伝導材は、前記冷却板の使用温度範囲内において弾性を有することを特徴とする冷却ユニットの製造方法。
【請求項１１】
請求項１から請求項１０のいずれかの製造方法により製造されたことを特徴とする冷却ユニット。
【請求項１２】
光源から射出された光束を画像情報に応じて変調して光学像を形成する光変調素子を含んで構成される光学装置であって、
少なくとも、前記光変調素子が請求項１から請求項１０のいずれかに記載の製造方法により製造された冷却ユニットに保持されることを特徴とする光学装置。
【請求項１３】
光源装置と、
請求項１２に記載の光学装置と、
前記光学装置にて形成された光学像を拡大投射する投射光学装置と、を備えることを特徴とするプロジェクタ。
【発明の詳細な説明】
【技術分野】
【０００１】
本発明は、冷却ユニットの製造方法、冷却ユニット、光学装置、並びにプロジェクタに関する。
【背景技術】
【０００２】
冷却流体を用いた冷却ユニットとして、対向的に組み合わせられる一対の金属板の内面間に冷却液流路としての金属パイプを配置した構成の冷却板を備えるものがある。この冷却板は、一対の金属板の少なくとも一方に金属パイプよりも大きいパイプ収納溝を形成し、金属パイプと一対の金属板とを一体的に組み合わせることにより製造される。そして、その製造過程において、上記組み合わせの後に金属パイプ内に加圧流体を供給し、そのパイプを拡径させてパイプ収納溝に金属パイプを密着させている（例えば、特許文献１参照）。
【特許文献１】特開２００２−１５６１９５号公報
【発明の開示】
【発明が解決しようとする課題】
【０００３】
上記の冷却ユニットの製造方法では、パイプ収納溝を金属板の合わせ面に対して逆テーパ状に形成し、金属パイプの拡径時にその溝の縁部分（アンダーカット部）を金属パイプに食い込ませることにより金属板と金属パイプとを結合している。
【０００４】
しかしながら、上記の製造方法では、上記のアンダーカット部の形成に、特殊な刃具を用いた切削加工が必要であり、低コスト化を図りにくい。
また、収納溝に金属パイプを良好に密着させるには、金属パイプの拡径工程を複数回に分けて繰り返し行う必要があり、多大な時間を要する。
さらに、金属パイプが小径であると、パイプの拡径が難しく、また、パイプの変形量にムラが生じやすいために、パイプと収納溝との間に隙間が生じ、その結果、冷却板の冷却能力の低下を招きやすい。
【０００５】
本発明は、低コスト化並びに小型化に適した冷却ユニットの製造方法、冷却ユニット、光学装置、並びにプロジェクタを提供することを目的とする。
【課題を解決するための手段】
【０００６】
本発明の製造方法は、内部に冷却流体が流れる冷却板を備える冷却ユニットを製造する方法であって、前記冷却板は、冷却流体が流れる冷却管を間に挟んで一対の板状部材が対向配置された構成を有しており、前記一対の板状部材の少なくとも一方の対向面に、前記冷却管を収納する溝部を形成する溝部形成工程と、前記冷却管を前記溝部に収納し、前記一対の板状部材のそれぞれと前記冷却管とを結合させる結合工程と、を有し、前記結合工程では、前記一対の板状部材の少なくとも一方に対する外力の付加により、前記溝部の隣接部位を変形させて該隣接部位を前記冷却管と係合させることを特徴とする。
【０００７】
この製造方法では、一対の板状部材の少なくとも一方に対する外力の付加により、一対の板状部材のそれぞれと冷却管とを結合させるから、冷却管の拡径工程に比べて、製造時間を大幅に短縮することが可能である。しかも、拡径工程を不要とすることで、小径の冷却管にも好ましく適用される。
したがって、この製造方法は、低コスト化並びに小型化に好ましく適用される。
【０００８】
なお、上記の製造方法により製造された冷却ユニットでは、板状部材の溝部と冷却管とが互いに接することで両者が熱的に接続され、板状部材に接する被冷却物体の熱が冷却管内を流れる冷却流体によって取り除かれる。冷却板の内部に冷却管を配設した構造は、冷却流体の経路形成のための接合部が比較的少なくて済むから流体漏れのリスクが小さく、また、流れ方向に関して均一かつ滑らかな流路が形成されるから配管抵抗が小さい。
【０００９】
上記の製造方法において、前記溝部形成工程では、鋳造法又は鍛造法を用いて前記溝部を形成することが可能である。鍛造法や鋳造法は、切削加工を用いた溝部の形成に比べて、量産化による低コスト化を図りやすい。
【００１０】
また、前記溝部と前記冷却管とは、ほぼ同じ大きさの外形部分を有する構成とすることにより、溝部と冷却管とが互いに接して板状部材と冷却管との間の熱伝達性の向上が図られる。
【００１１】
上記の製造方法においては、例えば、前記溝部形成工程では、前記一対の板状部材の少なくとも一方の対向面に、前記溝部に加えて、該溝部に隣接する凹部を形成し、前記結合工程では、前記溝部と前記凹部との間のバンクを前記溝部の内方に向かって押圧することにより、該バンクを変形させて該バンクの角部を前記冷却管と係合させる。
これによれば、溝部に隣接して凹部が形成されているので、溝部と凹部との間のバンクを容易に変形させることができる。
【００１２】
この場合、前記溝部形成工程ではさらに、前記一対の板状部材の少なくとも一方の対向面に、前記凹部に挿入される凸部を形成し、前記結合工程では、一方の板状部材の前記凹部と他方の板状部材の前記凸部とを組み合わせることにより、前記バンクを変形させることができる。
これによれば、一対の板状部材を組み合わせるのに伴って、一対の板状部材のそれぞれと冷却管とを係合させることができ、工程の簡素化が図られる。
【００１３】
また、例えば、前記結合工程では、前記一対の板状部材の少なくとも一方に所定物体を挿入することにより前記溝部を部分的に変形させる。
この場合、前記所定物体が、前記変形部分に代えて、前記冷却管と係合されてもよい。
これによれば、板状部材とは異なる所定物体を用いて一対の板状部材のそれぞれと冷却管とを係合させることができる。
【００１４】
上記の製造方法においては、前記溝部と前記冷却管との隙間に熱伝導材を充填する充填工程を、さらに有する構成とすることができる。
これによれば、熱伝導材の充填により、板状部材と冷却管との間の熱伝達性の向上が図られる。
【００１５】
熱伝導材の熱伝導率は、３Ｗ／(ｍ・Ｋ)以上であるのが好ましく、５Ｗ／(ｍ・Ｋ)以上であるのがより好ましい。熱伝導材の熱伝導率が３Ｗ／(ｍ・Ｋ)未満であると、板状部材の熱が冷却管に移動しにくいので好ましくない。また、熱伝導材の熱伝導率が５Ｗ／(ｍ・Ｋ)以上であることにより、板状部材の熱が冷却管に良好に移動する。
【００１６】
この場合、例えば、前記熱伝導材は、金属材が混入した樹脂材、カーボン材が混入した樹脂材、及びホットメルトのうちの少なくとも１種類を含むとよい。
【００１７】
また、前記熱伝導材は、前記冷却板の使用温度範囲内において弾性を有するのが好ましい。
熱伝導材が弾性を有することにより、熱変形等に伴う板状部材と冷却管との隙間の変化に応じて熱伝導材が伸縮し、板状部材と冷却管との熱的接続が安定的に維持される。
【００１８】
本発明の冷却ユニットは、上記の製造方法により製造されたことを特徴とする。
この冷却ユニットによれば、低コスト化並びに小型化が図られる。
【００１９】
本発明の光学装置は、光源から射出された光束を画像情報に応じて変調して光学像を形成する光変調素子を含んで構成される光学装置において、少なくとも、前記光変調素子が上記の製造方法により製造された冷却ユニットに保持されることを特徴とする。
この光学装置によれば、低コスト化並びに小型化及び冷却の効率化が図られる。
【００２０】
本発明のプロジェクタは、光源装置と、少なくとも、前記光源装置から射出された光束を画像情報に応じて変調して光学像を形成する光変調素子が、上記の製造方法により製造された冷却ユニットに保持された光学装置と、前記光学装置にて形成された光学像を拡大投射する投射光学装置と、を備えることを特徴とする。
このプロジェクタによれば、低コスト化並びに小型化及び冷却の効率化が図られる。
【発明を実施するための最良の形態】
【００２１】
以下、本発明の実施形態について図面を参照して説明する。なお、各図においては、各構成要素を図面上で認識可能な程度の大きさとするために、必要に応じてその縮尺を実際とは異ならしめてある。
【００２２】
（冷却ユニット）
図１（Ａ）は冷却ユニット１０の構成を示す平面図、図１（Ｂ）は図１（Ａ）に示すＡ−Ａ断面図である。
図１（Ａ）及び図１（Ｂ）に示すように、冷却ユニット１０は、透過型の光学素子１１の周縁を保持しかつその光学素子１１を冷却するものであり、光学素子１１を保持する一対の板状部材１２，１３と、一対の板状部材１２，１３に挟持された冷却管１４とを備えている。
【００２３】
光学素子１１としては、液晶パネル、偏光板の他、位相差板、視野角補正板等の様々な光学素子が適用される。また、透過型に限らず、反射型の光学素子にも本発明は適用可能である。さらに、光学素子に限らず、他の物体の冷却にも本発明は適用可能である。なお、本発明の冷却ユニットを液晶パネル及び偏光板の冷却構造に適用した例について後で詳しく説明する。
【００２４】
板状部材１２，１３はそれぞれ、平面視略矩形状の枠体であり、光学素子１１における光束の透過領域に対応した矩形状の開口部１２１，１３１と、冷却管１４を収納するための溝部１２２，１３２とを有する。板状部材１２と板状部材１３とは、冷却管１４を間に挟んで互いに対向して配置される。板状部材１２，１３としては、熱伝導率が高い材質からなる熱良導体が好ましく用いられ、例えば、アルミニウム（２３４Ｗ／（ｍ・Ｋ））、マグネシウム（１５６Ｗ／（ｍ・Ｋ））あるいはその合金（アルミニウム合金（約１００Ｗ／（ｍ・Ｋ））、低比重マグネシウム合金（約５０Ｗ／（ｍ・Ｋ））など）の他、各種金属が適用される。また、板状部材１２，１３は、金属材に限らず、熱伝導率の高い（例えば５Ｗ／（ｍ・Ｋ）以上）の他の材料（樹脂材など）でもよい。
【００２５】
冷却管１４は、例えば環状の断面を有しその中心軸に沿って延在するパイプあるいはチューブからなり、板状部材１２，１３の溝部１２２，１３２の平面形状に応じて折り曲げ加工されている。冷却管１４としては、熱伝導率が高い材質からなる熱良導体が好ましく用いられ、例えば、アルミニウム（２３４Ｗ／（ｍ・Ｋ））、銅（３９８Ｗ／（ｍ・Ｋ））、ステンレス（１６Ｗ／（ｍ・Ｋ）（オーステナイト系））あるいはその合金の他、各種金属が適用される。また、冷却管１４は、金属材に限らず、熱伝導率の高い（例えば５Ｗ／（ｍ・Ｋ）以上）の他の材料（樹脂材など）でもよい。
【００２６】
具体的に、冷却管１４は、図１（Ａ）及び（Ｂ）に示すように、光学素子１１の周縁部の外側で、光学素子１１の周縁部に沿って略一周にわたって配設される。すなわち、板状部材１２，１３の各対向面１２３，１３３（内面、合わせ面）において、開口部１２１，１３１の縁部に沿って略一周にわたって断面略半円状の溝部１２２，１３２が形成されており、溝部１２２と溝部１３２とは互いに概ね鏡面対称の形状関係にある。そして、冷却管１４を各溝部１２２，１３２内に収納した状態で、板状部材１２，１３同士が互いに接合されている。本例では、冷却管１４は円形パイプであり、その外径は光学素子１１の厚みと同程度である。
【００２７】
図２は、板状部材１２，１３の溝部１２２，１３２を拡大して示す部分断面図である。
図２に示すように、溝部１２２，１３２の内面と冷却管１４の外面とは、ほぼ同じ大きさの外形部分を有しており、両者は互いに接している。また、板状部材１２，１３のそれぞれには、溝部１２２，１３２の内方に突出する突起部１２４，１３４が設けられており、この突起部１２４，１３４が冷却管１４の外面に食い込んで係合することにより、各板状部材１２，１３と冷却管１４とが一体化されている。
【００２８】
さらに、板状部材１２，１３の各対向面１２３，１３３には、溝部１２２，１３２に隣接する凹部１２８，１３８と、相手側の凹部１２８，１３８に挿入される凸部１２９，１３９とが形成されている。凹部１２８，１３８は、各対向面１２３，１３３から窪んで形成され、凸部１２９，１３９は、各対向面１２３，１３３から突出して形成されている。凹部１２８，１３８と凸部１２９，１３９とは、板状部材１２と板状部材１３とを結合する際の位置決めガイドとしての機能を有する。
【００２９】
そして、溝部１２２，１３２と凹部１２８，１３８との間には、溝部１２２，１３２の壁面と凹部１２８，１３８の壁面とを側面とするバンク１２７，１３７が形成されている。本例では、冷却管１４に係合される突起部１２４，１３４は、溝部１２２，１３２の縁であり、これはバンク１２７，１３７の角部である。バンク１２７，１３７の角部は、尖鋭形状であるのが好ましい。凹部１２８，１３８、凸部１２９，１３９、及びバンク１２７，１３７は、溝部１２２，１３２の軸方向に沿って連続して形成されていてもよく、間欠的あるいは部分的に形成されていてもよい。
【００３０】
なお、本例では、後述するように、一方の板状部材１２（１３）の凹部１２８（１３８）に他方の板状部材１３（１２）の凸部１３９（１２９）を挿入することにより、バンク１２７（１３７）を変形させてその角部である突起部１２４，１３４を冷却管１４の外面に食い込ませている。そのため、凹部１２８，１３８の壁面と凸部１２９，１３９の壁面とが密着している。
【００３１】
図１に戻り、冷却管１４の一端には冷却流体の流入部（ＩＮ）が配設され、他端には流出部（ＯＵＴ）が配設されている。冷却管１４の流入部及び流出部はそれぞれ、冷却流体循環用の配管に接続される。なお、冷却流体の経路上には、それぞれ不図示の、流体圧送部、各種タンク、ラジエータ等の流体循環用の機器が配置される。
【００３２】
流入部（ＩＮ）から冷却管１４内に流入した冷却流体は、光学素子１１の周縁に沿って略一周にわたって流れ、流出部（ＯＵＴ）から流出する。また、その冷却流体は、冷却管１４内を流れる間に、光学素子１１から熱を奪う。すなわち、光学素子１１の熱が、板状部材１２，１３を介して冷却管１４の冷却流体に伝達されて外部に運ばれる。
【００３３】
本例では、各板状部材１２，１３における溝部１２２，１３２の内面と冷却管１４の外面とが互いに接し、また、各板状部材１２，１３の一部（突起部１２４，１３４）が冷却管１４の外面に食い込んで係合されていることから、各板状部材１２，１３と冷却管１４とが熱的に接続されている。また、冷却管１４は光学素子１１の周縁部に沿って略一周にわたって配設されているから、伝熱面積の拡大が図られている。そのため、冷却管１４内を流れる冷却流体によって、光学素子１１が効果的に冷却される。
【００３４】
光学素子１１を保持する枠体（板状部材１２，１３）の内部に冷却管１４を配設した構造は、冷却流体の経路形成のための接合部が比較的少なくて済むから流体漏れのリスクが小さく、また、流れ方向に関して均一かつ滑らかな流路が形成されるから配管抵抗が小さい。特に、本例では、冷却管１４の断面形状が略円形状のまま保たれるので流れの乱れが小さい。しかも、この構造では、枠体が、光学素子１１の保持手段と冷却手段とを兼ねており、その結果、光学素子１１を備える装置の小型化及び光学素子１１の冷却の効率化を図りやすいという利点がある。この結果、流体圧送部の省エネルギー化も実現できる。
【００３５】
なお、各板状部材１２，１３における溝部１２２，１３２と冷却管１４との隙間に、熱伝導材を充填させることにより、板状部材１２，１３と冷却管１４との間の熱伝達性の向上を図ることが可能である。この熱伝導材の充填については後述する。
【００３６】
（冷却ユニットの製造方法）
次に、上記冷却ユニット１０の製造方法について説明する。
図３は、冷却ユニット１０の製造方法の一例を示す説明図である。この製造方法は、溝部形成工程と、結合工程とを有する。
【００３７】
まず、溝部形成工程では、図３（ａ）に示すように、一対の板状部材１２，１３の各対向面１２３，１３３に、冷却管を収納するための断面略半円状あるいは断面略Ｕ字状の溝部１２２，１３２と、溝部にそれぞれ隣接する凹部１２８，１３８と凸部１２９，１３９とを形成する。この工程では、鋳造法（ダイカスト法など）や鍛造法（冷間／熱間鍛造など）を用いて溝部１２２（１３２）、凹部１２８（１３８）、及び凸部１２９（１３９）を備える板状部材１２（１３）を一体形成する。溝部１２２，１３２、凹部１２８，１３８、及び凸部１２９，１３９の各形状は、板状部材１２，１３や冷却管１４の材質、形状等に応じて適宜定められる。例えば、凹部１２８（１３８）と凸部１３９（１２９）とは互いに組み合わされるようにほぼ同じ形状の外形部分（台形断面形状）を有するとともに、凹部１２８（１３８）に比べて凸部１３９（１２９）の幅が部分的にわずかに大きく形成される。また、溝部１２２，１３２と冷却管１４とは、互いに組み合わされるようにほぼ同じ形状の外形部分（半円断面形状）を有する。後述する板状部材１２，１３同士の結合に伴って溝部１２２，１３２は変形するから、その結合後に溝部１２２，１３２と冷却管１４とが密着するように、溝部１２２，１３２の幅と冷却管１４の径との間に差を設けてもよい。鋳造法（ダイカスト法など）や鍛造法（冷間／熱間鍛造など）を用いることにより、こうした形状の板状部材１２，１３であっても容易かつ低コストでの形成が可能であり、また小型の物体にも好ましく適用される。
【００３８】
次に、結合工程では、図３（ｂ）に示すように、板状部材１２と板状部材１３とを対向配置させて、各溝部１２２，１３２に冷却管１４を収納する。この際、凹部１２８（１３８）と凸部１３９（１２９）とが組み合わされることにより、板状部材１２と板状部材１３との平面的な相対位置が位置決めされる。さらに、各溝部１２２，１３２に冷却管１４を収納した状態で、板状部材１２の対向面１２３と板状部材１３の対向面１３３とが密着するように外力を付加することにより、凹部１２８（１３８）に凸部１３９（１２９）が挿入される過程で、凹部１２８（１３８）と溝部１２２（１３２）との間のバンク１２７（１３７）が凸部１３９（１２９）に押されて変形する。すなわち、一方の板状部材１２（１３）の凹部１２８（１３８）と他方の板状部材１３（１２）の凸部１３９（１２９）とを組み合わせることで、バンク１２７（１３７）が溝部１２２（１３２）の内方に向かって押圧され、バンク１２７（１３７）が溝部１２２（１３２）の内方に向かって変形する。本例では、溝部１２２，１３２の隣接位置に凹部１２８，１３８が形成されていることにより、溝部１２２，１３２と凹部１２８，１３８との間のバンク１２７，１３７が容易に変形する。
【００３９】
そして、図３（ｂ）に示すように、上記バンク１２７，１３７の変形に伴い、溝部１２２，１３２の内面と冷却管１４の外面とが密着し、一対の板状部材１２，１３のそれぞれと冷却管１４とが熱的に接続される。さらに、上記バンク１２７，１３７の変形に伴い、溝部１２２，１３２の隣接部位であるバンク１２７，１３７の角部（突起部１２４，１３４）が冷却管１４の外面に食い込んで係合することにより、各板状部材１２，１３と冷却管１４とが結合される。突起部１２４，１３４が冷却管１４に食い込むことで冷却管１４は体積収縮が行われるが、冷却管１４は両端が開放されているので、そこから内部の空気が開放され、冷却管１４に余分なストレスが残留することはない。これにより、冷却管１４を間に挟んで一対の板状部材１２，１３が対向配置された構成を有する冷却構造（冷却板）が製造される。
その後、先の図１に示すように、板状部材１２，１３に光学素子１１を固定するとともに、冷却管１４を冷却流体の供給系に接続することにより冷却ユニット１０が完成する。
【００４０】
以上説明したように、本例の冷却ユニット１０の製造方法では、板状部材１２，１３に対する外力の付加により、一対の板状部材１２，１３のそれぞれと冷却管１４とを結合させるから、冷却管の拡径によって上記結合を行う場合に比べて、製造時間を大幅に短縮することが可能である。また、この製造方法では、一対の板状部材１２，１３を組み合わせるのに伴って上記結合を行うことから、工程の簡素化が図られる。しかも、拡径工程を不要とすることで、小径の冷却管１４にも好ましく適用される。そのため、この製造方法によれば、製造される冷却ユニット１０の低コスト化並びに小型化を図ることができる。
【００４１】
図４〜図７は、図３の製造方法の変形例を示す説明図である。なお、既に説明したものと同一の機能を有する構成要素には、同一の符号を付し、その説明を省略または簡略化する。
【００４２】
図４の例では、一方の板状部材１３に寄せて冷却管１４を配置する。
すなわち、溝部形成工程において、一方の板状部材１３の対向面１３３に、冷却管１４の全体を収納可能な溝部１３２を形成する（図４（ａ））。この溝部１３２は、底部から開口に向かって幅が広くなるように設けられる。また、他方の板状部材１２の対向面１２３に、板状部材１３の溝部１３２に挿入される凸部１２９を形成する。この凸部１２９は、板状部材１３の対向面１２３から突出して形成され、中央に冷却管１４とほぼ同じ大きさの外形部分を有する溝部１２２と、溝部１２２に隣接するバンク１２７とを有する。溝部１３２や凸部１２９の形状は、板状部材１２，１３や冷却管１４の材質、形状等に応じて適宜定められる。鋳造法（ダイカスト法など）や鍛造法（冷間／熱間鍛造など）を用いることにより、こうした形状の板状部材１２，１３であっても容易かつ低コストでの形成が可能である。
【００４３】
結合工程において、板状部材１２と板状部材１３とを対向配置させて、一方の板状部材１３の溝部１３２に冷却管１４を収納した状態で、板状部材１２と板状部材１３とが密着するように外力を付加すると、一方の板状部材１３の溝部１３２と冷却管１４との隙間に、他方の板状部材１２のバンク１２７が挿入され、その挿入過程で、そのバンク１２７が変形する。すなわち、一方の板状部材１３の溝部１３２と他方板状部材１２の凸部１２９（バンク１２７）とを組み合わせることで、バンク１２７が溝部１２２の内方に向かって押圧され、そのバンク１２７が溝部１２２の内方に向かって変形する。そして、上記バンク１２７の変形に伴い、溝部１２２，１３２の内面と冷却管１４の外面とが密着し、一対の板状部材１２，１３のそれぞれと冷却管１４とが熱的に接続される。さらに、上記バンク１２７の変形に伴い、溝部１２２，１３２の隣接部位であるバンク１２７，１３７の角部が冷却管１４の外面に食い込んで係合するとともに、上記凸部１２９と溝部１３２とが係合し、各板状部材１２，１３と冷却管１４とが結合される。
【００４４】
本例では、一方の板状部材１３に寄せて冷却管１４を配置することから、構成の自由度の拡大が図られる。また、熱伝導材を充填する場合において、その熱伝導材の配置を行いやすい。
【００４５】
次に、図５の例では、一方の板状部材１３に寄せて冷却管１４を配置するとともに、冷却管１４が略半円状の断面を有する。
すなわち、溝部形成工程において、一方の板状部材１３の対向面１３３に、冷却管１４の全体を収納可能な略半円形状の断面を有する溝部１３２と、溝部に隣接する凹部１３８とを形成し、他方の板状部材１２の対向面１２３に、上記凹部１３８に挿入される相手側の凸部１２９を形成する（図５（ａ））。この工程では、鋳造法（ダイカスト法など）や鍛造法（冷間／熱間鍛造など）を用いて溝部１３２、及び凸部１２９（凹部１３８）を備える板状部材１２（１３）を一体形成する。溝部１３２、凹部１３８、及び凸部１２９の各形状は、板状部材１２，１３や冷却管１４の材質、形状等に応じて適宜定められる。例えば、溝部１３２は、冷却管１４の曲面部分とほぼ同じ外形部分（半円断面形状）を有する。また、凹部１３８と凸部１２９とは互いに組み合わされるようにほぼ同じ形状の外形部分（台形断面形状）を有するとともに、凹部１３８に比べて凸部１２９の幅が部分的にわずかに大きく形成される。鋳造法（ダイカスト法など）や鍛造法（冷間／熱間鍛造など）を用いることにより、こうした形状の板状部材１２，１３であっても容易かつ低コストでの形成が可能であり、また小型の物体にも好ましく適用される。
【００４６】
結合工程において、板状部材１２と板状部材１３とを対向配置させて、一方の板状部材１３の溝部１３２に冷却管１４を収納した状態で、板状部材１２と板状部材１３とが密着するように外力を付加すると、凹部１３８に凸部１２９が挿入される過程で、凹部１３８と溝部１３２との間のバンク１３７が凸部１２９に押されて変形する（図５（ｂ））。すなわち、一方の板状部材１３の凹部１３８と他方の板状部材１２の凸部１２９とを組み合わせることで、バンク１３７が溝部１３２の内方に向かって押圧され、バンク１３７が溝部１３２の内方に向かって変形する。そして、板状部材１２の対向面１２３と冷却管１４の平坦面とが密着するとともに、上記バンク１３７の変形に伴って溝部１３２の内面と冷却管１４の外面とが密着することにより、一対の板状部材１２，１３のそれぞれと冷却管１４とが熱的に接続される。さらに、上記バンク１３７の変形に伴い、溝部１３２の隣接部位であるバンク１３７の角部が冷却管１４の外面に食い込んで係合するとともに、上記凹部１３８と凸部１２９とが係合することにより、各板状部材１２，１３と冷却管１４とが結合される。    
【００４７】
本例では、一方の板状部材１３に寄せて冷却管１４を配置することから、構成の自由度の拡大が図られ、また、熱伝導材を充填する場合において、その熱伝導材の配置を行いやすい。さらに、冷却管１４が略半円状の断面を有することによって板状部材１２の対向面１２３の形状が簡素となり、フライス加工などの切削加工でも板状部材１２を容易に形成可能である。
【００４８】
次に、図６の例では、板状部材１２，１３に治具１４５，１４６を挿入することにより、一対の板状部材１２，１３のそれぞれと冷却管１４とを結合する。
すなわち、溝部形成工程において、先の図３に示した溝部１２２，１３２、及び凹部１２８，１３８の他に、図３の凸部１３９（１２９）に代えて治具挿入用の穴１４７，１４８を形成する（図６（ａ））。この穴１４７（１４８）は、相手側の板状部材１２（１３）の凹部１２８（１３８）に対応する位置に設けられる。鋳造法（ダイカスト法など）や鍛造法（冷間／熱間鍛造など）を用いることにより、こうした形状の板状部材１２，１３であっても容易かつ低コストでの形成が可能であり、また小型の物体にも好ましく適用される。
【００４９】
結合工程において、各溝部１２２，１３２に冷却管１４を収納した状態で、板状部材１２，１３の穴１４７，１４８に治具１４５，１４６を挿入し、その治具１４５，１４６の先端部によって溝部１２２，１３２の隣接部位であるバンク１２７，１３７を溝部１２２，１３２の内方に向かって押圧することにより、バンク１２７（１３７）が溝部１２２，１３２の内方に向かって変形する（図６（ｂ））。そして、このバンク１２７，１３７の変形に伴い、溝部１２２，１３２の内面と冷却管１４の外面とが密着するとともに、バンク１２７，１３７の角部が冷却管１４の外面に食い込んで係合し、各板状部材１２，１３と冷却管１４とが結合される。
【００５０】
本例では、治具１４５，１４６を用いて板状部材１２，１３の一部を変形させて結合を行うことから、構成の自由度並びにその押圧用の治具１４５，１４６の形状、位置関係、押圧力などに関する自由度が大きく、結合力の安定的な確保やその調整を容易に行うことが可能である。
【００５１】
次に、図７の例では、一方の板状部材１３に寄せて冷却管１４を配置するとともに、別部材１４９、１５０の挿入により、一対の板状部材１２，１３のそれぞれと冷却管１４とを結合する。また、冷却管１４が略矩形状の断面を有する。
すなわち、溝部形成工程において、一方の板状部材１３の対向面１３３に、冷却管１４の全体を収納可能な略矩形状の断面を有する溝部１３２と、溝部に連通する凹部１３８とを形成し、他方の板状部材１２の対向面１２３に、別部材嵌入用の穴１４７，１４８を形成する（図７（ａ））。凹部１３８は、深さ方向に進むに従って溝部１３２に近づく斜面を有する。また、穴１４７，１４８は、相手側の板状部材１３の凹部１３８に対応する位置に設けられる。鋳造法（ダイカスト法など）や鍛造法（冷間／熱間鍛造など）を用いることにより、こうした形状の板状部材１２，１３であっても容易かつ低コストでの形成が可能であり、また小型の物体にも好ましく適用される。
【００５２】
結合工程において、板状部材１３の溝部１３２に冷却管１４を収納し、かつ一対の板状部材１２，１３の各対向面１２３，１３３を互いに密着させた状態で、板状部材１２の穴１４７，１４８に別部材１４９、１５０を挿入する（図７（ｂ））。別部材１４９、１５０は、板状部材１２の穴１４７，１４８、及び板状部材１３の凹部１３８に嵌入され、板状部材１２，１３のそれぞれと係合される。また、別部材１４９、１５０の先端は斜面が設けられた尖鋭状に形成され、他端は他の部分より一段幅が広いリベット状の形状をしており、別部材１４９、１５０の先端が凹部１３８の斜面に沿って移動しつつ、溝部１３２の内方に向かって変形して冷却管１４の外面に食い込む。更に、別部材１４９、１５０の他端の段差により板状部材１２が固定されることにより（図７（ｂ）を参照）、別部材１４９、１５０を介して、各板状部材１２，１３と冷却管１４とが結合される。
【００５３】
本例では、別部材１４９、１５０を用いて板状部材１２，１３の結合を行うことから、構成の自由度並びにその押圧用の別部材１４９、１５０の形状、位置関係、押圧力などに関する自由度が大きく、結合力の安定的な確保やその調整を容易に行うことが可能である。また、一方の板状部材１３に寄せて冷却管１４を配置する点からも、構成の自由度の拡大が図られ、また、熱伝導材を充填する場合において、その熱伝導材の配置を行いやすい。さらに、冷却管１４が略矩形状の断面を有することによって板状部材１２の対向面１２３の形状が簡素となり、板状部材１２の形成が容易となる。尚、本例では、別部材の形状をリベット状としたが、他端の段差のない物を使用し板状部材１２、１３の結合手段に別の方法（ネジ等で固定）を用いても良い。
【００５４】
（熱伝導材の充填）
ここで、上記の冷却ユニットにおいては、板状部材１２，１３（溝部）と冷却管１４との隙間に、熱伝導材を充填させることにより、板状部材１２，１３と冷却管１４との間の熱伝達性の向上を図ることが可能である。
【００５５】
熱伝導材としては、熱伝導率が高い材質からなる熱良導体が好ましく用いられる。具体的には、例えば、金属材が混入した樹脂材、カーボン材が混入した樹脂材、及びホットメルト等が用いられる。熱伝導材の熱伝導率は、３Ｗ／(ｍ・Ｋ)以上であるのが好ましく、５Ｗ／(ｍ・Ｋ)以上であるのがより好ましい。ホットメルトの熱伝導率は通常、５Ｗ／（ｍ・Ｋ）以上である。金属材あるいはカーボン材が混練された樹脂材には、熱伝導率が３Ｗ／(ｍ・Ｋ)以上のものがあり、熱伝導率が１０Ｗ／(ｍ・Ｋ)以上のものもある。一例として、Cool polymers社製：Ｄ２（登録商標）（ＬＣＰ樹脂＋熱伝導用物混練、１５Ｗ／（ｍ・Ｋ）、熱膨張率：１０×１０＾-6／Ｋ）、ＲＳ００７（登録商標）（ＰＰＳ樹脂＋熱伝導用物混練、３．５Ｗ／（ｍ・Ｋ）、熱膨張率：２０×１０＾-6／Ｋ）がある。
【００５６】
熱伝導材の充填は、例えば、板状部材１２，１３と冷却管１４とを結合するのに先立って、板状部材１２，１３の溝部の内面及び／又は冷却管１４の外面に熱伝導材を塗布しておくことにより実施できる。熱伝導材の塗布は、スピンコート法、スプレーコート法、ロールコート法、ダイコート法、ディップコート法、あるいは液滴吐出法等の様々な方法を用いることができる。なお、板状部材１２，１３と冷却管１４とを結合した後に、板状部材１２，１３の溝部と冷却管１４との隙間に熱伝導材を充填（注入）してもよい。
【００５７】
熱伝導材の塗布後に板状部材１２，１３と冷却管１４とを結合すると、板状部材１２，１３の溝部と冷却管１４とが互いに接する部分では板状部材１２，１３と冷却管１４とが直接的に熱的に接続され、隙間が生じた部分では両者が熱伝導材を介して間接的に熱的に接続される。つまり、板状部材１２，１３と冷却管１４との熱伝達が熱伝導材によって補完され、板状部材１２，１３と冷却管１４との間の熱伝達性の向上が図られる。また、熱伝導材が接着力を有する場合にはその力を板状部材１２，１３と冷却管１４との結合力等に利用することも可能である。
【００５８】
また、上記の結合時において、必要に応じて熱伝導材を軟化・流動させるとよい。例えば、熱伝導材が熱可塑性である場合には、上記結合時に熱伝導材を加熱する。この場合、例えば、上記結合の際に板状部材１２，１３を保持する物体（治具）を介して板状部材１２，１３を加熱したり、あるいは冷却管１４内に高温流体を流動させたりする。熱伝導材が軟化・流動することにより、板状部材１２，１３の溝部と冷却管１４との隙間の領域全体にわたって熱伝導材が充填される。
【００５９】
また、熱伝導材は、冷却板（板状部材１２，１３）の使用温度範囲内において弾性を有することが好ましい。熱伝導材が弾性を有することにより、熱変形等に伴う板状部材１２，１３と冷却管１４との隙間の変化に応じて熱伝導材が伸縮し、板状部材１２，１３と冷却管１４との熱的接続が安定的に維持される。
【００６０】
以上説明した本発明の冷却ユニット及びその製造方法は、光学素子の冷却を必要とする各種光学装置に好ましく適用される。この適用により、光学装置の低コスト化並びに小型化を図ることができる。
【００６１】
（プロジェクタの構成）
以下、上記の冷却ユニットの適用例として、プロジェクタの実施形態について図面を参照して説明する。以下の例では、後述する液冷ユニット４６（図８参照）に、上記の冷却ユニット１０及びその製造方法を適用することができる。
この場合、上記の光学素子１１（図１参照）は、後述する液晶パネル４４１Ｒ，４４１Ｇ，４４１Ｂ、入射側偏光板４４２及び射出側偏光板４４３（図１１参照）の少なくとも１つに適用される。
同様に、上記の板状部材１２，１３は、後述する液晶パネル保持枠４４５（枠状部材４４５１、枠状部材４４５２）、入射側偏光板保持枠４４６（枠状部材４４６１、枠状部材４４６２）及び射出側偏光板保持枠４４７（枠状部材４４７１、枠状部材４４７２）の少なくとも１つに適用される。
同様に、上記の冷却管１４は、後述する素子冷却管４６３（液晶パネル冷却管４６３１Ｒ、入射側偏光板冷却管４６３２Ｒ、射出側偏光板冷却管４６３３Ｒ）に適用される。
上記の冷却ユニット及びその製造方法を、後述する液冷ユニット４６に適用することにより、プロジェクタの低コスト化並びに小型化を図ることが可能となる。
【００６２】
図８は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、空冷装置３と、光学ユニット４と、投射光学装置としての投射レンズ５とを備える。
なお、図８において、図示は省略するが、外装ケース２内において、空冷装置３、光学ユニット４、及び投射レンズ５以外の空間には、電源ブロック、ランプ駆動回路等が配置されるものとする。
【００６３】
外装ケース２は、合成樹脂等から構成され、空冷装置３、光学ユニット４、及び投射レンズ５を内部に収納配置する全体略直方状に形成されている。この外装ケース２は、図示は省略するが、プロジェクタ１の天面、前面、背面、及び側面をそれぞれ構成するアッパーケースと、プロジェクタ１の底面、前面、側面、及び背面をそれぞれ構成するロアーケースとで構成され、上記アッパーケース及び上記ロアーケースは互いにねじ等で固定されている。
なお、外装ケース２は、合成樹脂等に限らず、その他の材料にて形成してもよく、例えば、金属等により構成してもよい。
また、図示は省略するが、この外装ケース２には、プロジェクタ１外部から空気を内部に導入するための吸気口（例えば、図９に示す吸気口２２）、及びプロジェクタ１内部で温められた空気を排出するための排気口が形成されている。
さらに、この外装ケース２には、図８に示すように、投射レンズ５の側方で外装ケース２の角部分に位置し、光学ユニット４の後述するラジエータ４６６及び軸流ファン４６７等を他の部材と隔離する隔壁２１が形成されている。
【００６４】
空冷装置３は、プロジェクタ１内部に形成される冷却流路に冷却空気を送り込み、プロジェクタ１内で発生する熱を冷却するものである。空冷装置３は、投射レンズ５の側方に位置し、外装ケース２に形成された図示しない吸気口からプロジェクタ１外部の冷却空気を内部に導入するシロッコファン３１、及び図示しない電源ブロック、ランプ駆動回路等を冷却するための冷却ファン等を有する。
【００６５】
光学ユニット４は、光源から射出された光束を、光学的に処理して画像情報に応じて光学像（カラー画像）を形成するユニットである。この光学ユニット４は、全体形状が、図８に示すように、概ね外装ケース２の背面に沿って延出するとともに、外装ケース２の側面に沿って延出する平面視略Ｌ字形状を有している。なお、この光学ユニット４の詳細な構成については後述する。
投射レンズ５は、複数のレンズが組み合わされた組レンズとして構成される。そして、この投射レンズ５は、光学ユニット４にて形成された光学像（カラー画像）を図示しないスクリーン上に拡大投射する。
【００６６】
（光学ユニットの詳細な構成）
光学ユニット４は、図８に示すように、インテグレータ照明光学系４１と、色分離光学系４２と、リレー光学系４３と、光学装置４４と、を収納配置する光学部品用筐体４５と、液冷ユニット４６とを備える。
【００６７】
インテグレータ照明光学系４１は、光学装置４４を構成する後述する液晶パネルの画像形成領域を略均一に照明するための光学系である。このインテグレータ照明光学系４１は、図８に示すように、光源ユニット４１１と、第１レンズアレイ４１２と、第２レンズアレイ４１３と、偏光変換素子４１４と、重畳レンズ４１５とを備える。
【００６８】
光源ユニット４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図８では、放射面鏡を採用しているが、これに限らず、楕円面鏡で構成し、光束射出側に該楕円面鏡により反射された光束を平行光とする平行化凹レンズを採用した構成としてもよい。
【００６９】
第１レンズアレイ４１２は、光軸方向から見て略矩形状の輪郭を有する小レンズがマトリクス状に配列された構成を有している。各小レンズは、光源ユニット４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００７０】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源ユニット４１１からの光の略半分を利用できない。このため、偏光変換素子４１４を用いることで、光源ユニット４１１からの射出光を略１種類の偏光光に変換し、光学装置４４での光の利用効率を高めている。
【００７１】
色分離光学系４２は、図８に示すように、２枚のダイクロイックミラー４２１，４２２と、反射ミラー４２３とを備え、ダイクロイックミラー４２１，４２２によりインテグレータ照明光学系４１から射出された複数の部分光束を、赤（Ｒ）、緑（Ｇ）、青（Ｂ）の３色の色光に分離する機能を有している。
リレー光学系４３は、図８に示すように、入射側レンズ４３１、リレーレンズ４３３、及び反射ミラー４３２，４３４を備え、色分離光学系４２で分離された青色光を光学装置４４の後述する青色光用の液晶パネルまで導く機能を有している。
【００７２】
この際、色分離光学系４２のダイクロイックミラー４２１では、インテグレータ照明光学系４１から射出された光束の赤色光成分が反射するとともに、緑色光成分と青色光成分とが透過する。ダイクロイックミラー４２１によって反射した赤色光は、反射ミラー４２３で反射し、フィールドレンズ４１８を通って光学装置４４の後述する赤色光用の液晶パネルに達する。このフィールドレンズ４１８は、第２レンズアレイ４１３から射出された各部分光側をその中心軸（主光線）に対して平行な光束に変換する。他の緑色光用、青色光用の液晶パネルの光入射側に設けられたフィールドレンズ４１８も同様である。
【００７３】
ダイクロイックミラー４２１を透過した緑色光と青色光とのうちで、緑色光はダイクロイックミラー４２２によって反射し、フィールドレンズ４１８を通って光学装置４４の後述する緑色光用の液晶パネルに達する。一方、青色光はダイクロイックミラー４２２を透過してリレー光学系４３を通り、さらにフィールドレンズ４１８を通って光学装置４４の後述する青色光用の液晶パネルに達する。なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分色光の光路長が長いのでこのような構成とされているが赤色光の光路長を長くする構成も考えられる。
【００７４】
光学装置４４は、図８に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側及び光束射出側に配置される光学変換素子としての３つの入射側偏光板４４２及び３つの射出側偏光板４４３と、色合成光学装置としてのクロスダイクロイックプリズム４４４とが一体的に構成されたものである。
【００７５】
液晶パネル４４１は、具体的な図示は省略するが、一対の透明なガラス基板に電気光学物質である液晶が密封封入された構成を有し、図示しない制御装置から出力される駆動信号に応じて、上記液晶の配向状態が制御され、入射側偏光板４４２から射出された偏光光束の偏光方向を変調する。
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみを透過させ、その他の光束を吸収するものである（光吸収型）。
この入射側偏光板４４２は、具体的な図示は省略するが、サファイアガラスまたは水晶等の透光性基板上に偏光膜が貼付された構成を有している。光吸収型の偏光膜は、例えば、ヨウ素分子または染料分子を含むフィルムを一軸延伸して形成されており、消光比が比較的高く、入射角依存性が比較的小さいという利点を有する。
射出側偏光板４４３は、入射側偏光板４４２と略同様の構成であり、液晶パネル４４１から射出された光束のうち、入射側偏光板４４２における光束の透過軸と直交する偏光軸を有する光束のみ透過させ、その他の光束を吸収するものである（光吸収型）。
【００７６】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００７７】
光学部品用筐体４５は、例えば、金属製部材から構成され、内部に所定の照明光軸Ａが設定され、上述した光学部品４１〜４４を照明光軸Ａに対する所定位置に収納配置する。なお、光学部品用筐体４５は、金属製部材に限らず、その他の材料にて構成してもよく、特に熱伝導性材料で構成することが好ましい。
【００７８】
液冷ユニット４６は、冷却流体を循環させて主に光学装置４４を冷却するものであり、冷却流体を一時的に貯溜するメインタンク４６１、冷却流体の熱を放熱させるための放熱部としてのラジエータ４６６、このラジエータ４６６に冷却空気を吹き付ける軸流ファン４６７の他、それぞれ後述する流体圧送部、素子冷却管、分岐タンク、合流タンク、及び管部等を備える。
【００７９】
ここで、図９は、プロジェクタ１内の一部を上方側から見た斜視図であり、図１０は、プロジェクタ１内における主に光学装置４４と液冷ユニット４６を下方から見た斜視図である。
なお、図９において、光学部品用筐体４５内の光学部品は、説明の簡略化のために、光学装置４４のみを図示し、その他の光学部品４１〜４３は省略している。また、図９及び図１０において、説明の簡略化のために、液冷ユニット４６における部材を一部省略して示している。
【００８０】
図９に示すように、光学部品用筐体４５は、部品収納部材４５１と、部品収納部材４５１の開口部分を閉塞する図示しない蓋状部材とを含んで構成される。
このうち、部品収納部材４５１は、光学部品用筐体４５の底面、前面、及び側面をそれぞれ構成する。
【００８１】
この部品収納部材４５１において、側面の内側面には、図９に示すように、上述した光学部品４１〜４４を上方からスライド式に嵌め込むための溝部４５１Ａが形成されている。
また、側面の正面部分には、図９に示すように、投射レンズ５を光学ユニット４に対して所定位置に設置するための投射レンズ設置部４５１Ｂが形成されている。この投射レンズ設置部４５１Ｂは、平面視略矩形状に形成され、平面視略中央部分には光学装置４４からの光束射出位置に対応して円形状の図示しない孔が形成されており、光学ユニット４にて形成されたカラー画像が上記孔を通して投射レンズ５にて拡大投射される。
【００８２】
（液冷ユニット）
以下、液冷ユニット４６について詳しく説明する。
図９及び図１０において、液冷ユニット４６は、メインタンク４６１、流体圧送部４６２（図１０）、素子冷却管４６３、分岐タンク４６４（図１０）、合流タンク４６５、ラジエータ４６６、軸流ファン４６７、及び管部４６９等を備える。
【００８３】
メインタンク４６１は、図９及び図１０に示すように、全体が略円柱形状を有し、アルミニウム等の金属製の２つの容器状部材から構成され、２つの容器状部材の開口部分を互いに接続することで内部に冷却流体を一時的に蓄積する。これら容器状部材は、例えば、シール溶接またはゴム等の弾性部材を介在させることで接続される。
このメインタンク４６１の周面において、図１０に示すように、冷却流体の流入部４６１Ａ及び流出部４６１Ｂが形成されている。
これら流入部４６１Ａ及び流出部４６１Ｂは、管状部材から構成され、メインタンク４６１の内外に突出するように配置されている。そして、流入部４６１Ａの外側に突出した一端に管部４６９の一端が接続され、その管部４６９を介して外部からの冷却流体がメインタンク４６１内部に流入する。また、流出部４６１Ｂの外側に突出した一端にも管部４６９の一端が接続され、その管部４６９を介してメインタンク４６１内部の冷却流体が外部に流出する。
また、メインタンク４６１において、流入部４６１Ａ及び流出部４６１Ｂの各中心軸が互いに略直交する位置関係にあり、これにより、流入部４６１Ａを介してメインタンク４６１内部に流入した冷却流体が、流出部４６１Ｂを介して直ぐに外部に流出することが回避され、メインタンク４６１内部での混合作用により、冷却流体の均質化並びに温度の均一化が図られる。そして、メインタンク４６１から流出した冷却流体は、管部４６９を介して流体圧送部４６２に送られる。
【００８４】
流体圧送部４６２は、図１０に示すように、メインタンク４６１からの冷却流体を内部に吸引するとともに、その冷却流体を分岐タンク４６４に向けて外部に強制的に排出する。すなわち、メインタンク４６１の流出部４６１Ｂと流体圧送部４６２の流入部４６２Ａとが管部４６９を介して接続され、流体圧送部４６２の流出部４６２Ｂと分岐タンク４６４の流入部４６４Ａとが管部４６９を介して接続されている。
具体的に、流体圧送部４６２は、例えば、略直方体状のアルミニウム等の金属製の中空部材内に羽根車が配置された構成を有し、図示しない制御装置の制御の下、上記羽根車が回転することで、メインタンク４６１内に蓄積された冷却流体を管部４６９を介して強制的に吸引し、その冷却流体を管部４６９を介して外部に強制的に排出する。このような構成により、上記羽根車の回転軸方向の厚み寸法を小さくすることができ、コンパクト化並びに省スペース化が図られる。本実施形態では、流体圧送部４６２は、図９又は図１０に示すように、投射レンズ５の下方に配置される。
【００８５】
素子冷却管４６３は、光学装置４４における液晶パネル４４１、入射側偏光板４４２、及び射出側偏光板４４３の各素子に隣接して配設されるものである。そして、素子冷却管４６３の内部を流れる冷却流体と各素子４４１，４４２，４４３との間で熱交換が行われる。
【００８６】
ここで、図１１は、光学装置４４の全体構成を示す斜視図である。
図１１において、前述したように、光学装置４４は、３枚の液晶パネル４４１（赤色光用の液晶パネル４４１Ｒ、緑色光用の液晶パネル４４１Ｇ、青色光用の液晶パネル４４１Ｂ）と、各液晶パネル４４１の入射側あるいは射出側に配置される偏光板（入射側偏光板４４２、射出側偏光板４４３）と、クロスダイクロイックプリズム４４４とが一体的に構成されたものである。
すなわち、赤（Ｒ）、緑（Ｇ）、青（Ｂ）の各色毎に、射出側偏光板４４３、液晶パネル４４１、及び入射側偏光板４４２の順に、それらがクロスダイクロイックプリズム４４４上に重ねて配置されている。
そして、素子冷却管４６３は、液晶パネル４４１、入射側偏光板４４２、及び射出側偏光板４４３のそれぞれに対して個別に配設されている。
【００８７】
具体的に、素子冷却管４６３は、赤色光に関して、液晶パネル４４１Ｒの周縁に配設される液晶パネル冷却管４６３１Ｒと、入射側偏光板４４２の周縁に配設される入射側偏光板冷却管４６３２Ｒと、射出側偏光板４４３の周縁に配設される射出側偏光板冷却管４６３３Ｒとを含む。冷却流体は、各素子冷却管４６３１Ｒ，４６３２Ｒ，４６３３Ｒの流入部（ＩＮ）から各管内部に流入して各素子４４１Ｒ，４４２，４４３の周縁に沿って流れ、各管の流出部（ＯＵＴ）から外部に流出する。
同様に、素子冷却管４６３は、緑色光に関して、液晶パネル４４１Ｇの周縁に配設される液晶パネル冷却管４６３１Ｇと、入射側偏光板４４２の周縁に配設される入射側偏光板冷却管４６３２Ｇと、射出側偏光板４４３の周縁に配設される射出側偏光板冷却管４６３３Ｇとを含み、また、青色光に関して、液晶パネル４４１Ｂの周縁に配設される液晶パネル冷却管４６３１Ｂと、入射側偏光板４４２の周縁に配設される入射側偏光板冷却管４６３２Ｂと、射出側偏光板４４３の周縁に配設される射出側偏光板冷却管４６３３Ｂとを含む。
【００８８】
本実施形態では、液晶パネル４４１、入射側偏光板４４２、及び射出側偏光板４４３の各素子の周縁が保持枠に保持されており、この保持枠の内部に、各素子冷却管４６３が各素子の周縁部に沿って略一周にわたって配設されている。そして、各素子４４１，４４２，４４３の同一辺側において、各素子冷却管４６３の流入部（ＩＮ）と流出部（ＯＵＴ）とが配設されている。
なお、上記素子保持枠、及び素子冷却管４６３の詳しい構造については後述する。
【００８９】
図９及び図１０に戻り、分岐タンク４６４は、図１０に示すように、流体圧送部４６２から送られた冷却流体を各素子冷却管４６３に向けて分岐させるものである。
また、合流タンク４６５は、図９に示すように、各素子冷却管４６３から送られた冷却流体を合流させて一時的に蓄積するものである。
本実施形態では、光学装置４４におけるクロスダイクロイックプリズム４４４の一面に分岐タンク４６４が配置され、そのクロスダイクロイックプリズム４４４の反端側の一面に合流タンク４６５が配置されている。分岐タンク４６４及び合流タンク４６５の配置位置はこれに限らず、他の位置でもよい。
【００９０】
ここで、図１２は、分岐タンク４６４の全体構成を示す斜視図であり、図１３は、合流タンク４６５の全体構成を示す斜視図である。
分岐タンク４６４は、図１２に示すように、全体が略円柱形状を有し、アルミニウム等の金属製の密閉された容器状部材から構成され、内部に冷却流体を一時的に蓄積する。
この分岐タンク４６４の周面において、冷却流体の流入部４６４Ａ、及び流出部４６４Ｂ１，４６４Ｂ２，…４６４Ｂ９が形成されている。
これら流入部４６４Ａ及び流出部４６４Ｂ１〜４６４Ｂ９は、管状部材から構成され、分岐タンク４６４の内外に突出するように配置されている。そして、流入部４６４Ａの外側に突出した一端に管部４６９の一端が接続され、その管部４６９を介して流体圧送部４６２（図１０参照）からの冷却流体が分岐タンク４６４内部に流入する。また、流出部４６４Ｂ１〜４６４Ｂ９の外側に突出した各一端にも管部４６９の一端が個別に接続され、その管部４６９を介して分岐タンク４６４内部の冷却流体が各素子冷却管４６３（図１１参照）に向けて流出する。
【００９１】
合流タンク４６５は、分岐タンク４６４と同様に、図１３に示すように、全体が略円柱形状を有し、アルミニウム等の金属製の密閉された容器状部材から構成され、内部に冷却流体を一時的に蓄積する。
この合流タンク４６５の周面において、冷却流体の流入部４６５Ａ１，４６５Ａ２，…４６５Ａ９、及び流出部４６５Ｂが形成されている。
これら流入部４６５Ａ１〜４６５Ａ９及び流出部４６５Ｂは、管状部材から構成され、合流タンク４６５の内外に突出するように配置されている。そして、流入部４６５Ａ１〜４６５Ａ９の外側に突出した各一端に管部４６９の一端が個別に接続され、その管部４６９を介して各素子冷却管４６３（図１１参照）からの冷却流体が合流タンク４６５内部に流入する。また、流出部４６５Ｂの外側に突出した一端にも管部４６９の一端が接続され、その管部４６９を介して合流タンク４６５内部の冷却流体がラジエータ４６６に向けて流出する。
【００９２】
図９及び図１０に戻り、ラジエータ４６６は、図１０に示すように、冷却流体が流れる管状部材４６６１と、この管状部材に接続された複数の放熱フィン４６６２とを備える。
管状部材４６６１は、アルミニウム等の熱伝導性の高い部材からなり、流入部４６６１Ａから流入した冷却流体が流出部４６６１Ｂに向けて内部を流れる。管状部材４６６１の流入部４６６１Ａと合流タンク４６５の流出部４６５Ｂとが管部４６９を介して接続され、管状部材４６６１の流出部４６６１Ｂとメインタンク４６１とが管部４６９を介して接続されている。
複数の放熱フィン４６６２は、アルミニウム等の熱伝導性の高い板状部材からなり、並列配置されている。また、軸流ファン４６７は、ラジエータ４６６の一面側から冷却空気を吹き付けるように構成されている。
そして、ラジエータ４６６では、管状部材４６６１内を流れる冷却流体の熱が放熱フィン４６６２を介して放熱されるとともに、軸流ファン４６７による冷却空気の供給によってその放熱が促進される。
【００９３】
なお、管部４６９の形成材料としては、例えば、アルミニウム等の金属が用いられ、樹脂製などの他の材料を用いてもよい。
冷却流体としては、例えば透明性の非揮発性液体であるエチレングリコールが用いられ、この他の液体を用いてもよい。なお、本発明における冷却流体は液体に限らず、気体でもよく、また、液体と固体との混合物等を用いてもよい。
【００９４】
以上説明したように、液冷ユニット４６では、管部４６９を介して、メインタンク４６１、流体圧送部４６２、分岐タンク４６４、素子冷却管４６３、合流タンク４６５、及びラジエータ４６６の順に冷却流体が流れ、その冷却流体は、ラジエータ４６６からメインタンク４６１に戻り、上記経路を繰り返し流れて循環する。
【００９５】
そして、液冷ユニット４６では、各素子冷却管４６３内を冷却流体が流れることにより、光束の照射等によって生じた光学装置４４における各素子４４１，４４２，４４３の熱が適宜取り除かれ、各素子４４１，４４２，４４３の温度上昇が抑制される。各素子４４１，４４２，４４３の熱は、各素子の保持枠を介して各素子冷却管４６３内の冷却流体に伝達される。
【００９６】
（素子保持枠及び素子冷却管）
次に、素子保持枠及び素子冷却管について説明する。ここでは、代表的に、赤色光に関するものを説明するが、緑色光及び青色光に関するものもこれと同様である。
【００９７】
図１４は、光学装置４４における赤色光用のパネル構成を示す部分斜視図である。
図１４に示すように、赤色光に関して、液晶パネル４４１Ｒの周縁が液晶パネル保持枠４４５に保持され、入射側偏光板４４２の周縁が入射側偏光板保持枠４４６に保持され、射出側偏光板４４３の周縁が射出側偏光板保持枠４４７に保持されている。各保持枠４４５，４４６，４４７は、液晶パネル４４１Ｒの画像形成領域に対応した後述する矩形状の開口部を有しており、これらの開口部を光束が通過する。
そして、液晶パネル保持枠４４５の内部に、液晶パネル４４１Ｒの周縁に沿って液晶パネル冷却管４６３１Ｒが配設され、入射側偏光板保持枠４４６の内部に、入射側偏光板４４２の周縁に沿って入射側偏光板冷却管４６３２Ｒが配設され、射出側偏光板保持枠４４７の内部に、射出側偏光板４４３の周縁に沿って射出側偏光板冷却管４６３３Ｒが配設されている。
【００９８】
図１５は、液晶パネル保持枠４４５の分解斜視図であり、図１６（Ａ）は、液晶パネル保持枠４４５の組立正面図、図１６（Ｂ）は図１６（Ａ）に示すＡ−Ａ断面図である。
液晶パネル保持枠４４５は、図１５に示すように、一対の枠状部材４４５１，４４５２と、液晶パネル固定板４４５３とを含む。
ここで、液晶パネル４４１Ｒは、透過型であり、一対の透明基板間に液晶層が密閉封入された構成を有し、一対の基板は、液晶に駆動電圧を印加するためのデータ線、走査線、スイッチング素子、画素電極等が形成された駆動基板と、共通電極、ブラックマトリックス等が形成された対向基板とを含む。
【００９９】
枠状部材４４５１，４４５２はそれぞれ、平面視略矩形状の枠体であり、液晶パネル４４１Ｒの画像形成領域に対応した矩形状の開口部４４５１Ａ，４４５２Ａと、液晶パネル冷却管４６３１Ｒを収納するための溝部４４５１Ｂ，４４５２Ｂとを有する。枠状部材４４５１と枠状部材４４５２とは、液晶パネル冷却管４６３１Ｒを間に挟んで互いに対向して配置される。枠状部材４４５１，４４５２としては、熱伝導率が高い材質からなる熱良導体が好ましく用いられ、例えば、アルミニウム（２３４Ｗ／（ｍ・Ｋ））、マグネシウム（１５６Ｗ／（ｍ・Ｋ））あるいはその合金（アルミダイカスト合金（約１００Ｗ／（ｍ・Ｋ））、Mg-Al-Zn系合金（約５０Ｗ／（ｍ・Ｋ））など）の他、各種金属が適用される。また、枠状部材４４５１，４４５２は、金属材に限らず、熱伝導率の高い（例えば５Ｗ／（ｍ・Ｋ）以上）の他の材料（樹脂材など）でもよい。
【０１００】
液晶パネル固定板４４５３は、図１５に示すように、液晶パネル４４１Ｒの画像形成領域に対応した矩形状の開口部４４５３Ａを有する板状部材からなり、液晶パネル４４１Ｒを間に挟んで枠状部材４４５２に固定される。この液晶パネル固定板４４５３は、図１６（Ｂ）に示すように、液晶パネル４４１Ｒに接触して配され、枠状部材４４５１，４４５２と液晶パネル４４１Ｒとを互いに密着させてそれらを熱的に接続させる機能を有するとともに、液晶パネル４４１Ｒの熱を放熱する機能を有する。また、液晶パネル４４１Ｒの熱の一部は、液晶パネル固定板４４５３を介して枠状部材４４５１，４４５２に伝達される。
【０１０１】
液晶パネル冷却管４６３１Ｒは、例えば環状の断面を有しその中心軸に沿って延在するパイプあるいはチューブからなり、図１５に示すように、枠状部材４４５１，４４５２の溝部４４５１Ｂ，４４５２Ｂの形状に応じて折り曲げ加工されている。液晶パネル冷却管４６３１Ｒとしては、熱伝導率が高い材質からなる熱良導体が好ましく用いられ、例えば、アルミニウム、銅、ステンレスあるいはその合金の他、各種金属が適用される。また、液晶パネル冷却管４６３１Ｒは、金属材に限らず、熱伝導率の高い（例えば５Ｗ／（ｍ・Ｋ）以上）の他の材料（樹脂材など）でもよい。
【０１０２】
具体的に、液晶パネル冷却管４６３１Ｒは、図１６（Ａ）及び（Ｂ）に示すように、液晶パネル４４１Ｒの周縁部の外側で、液晶パネル４４１Ｒの周縁部に沿って略一周にわたって配設される。すなわち、枠状部材４４５１，４４５２の各内面（合わせ面、対向面）において、開口部４４５１Ａ，４４５２Ａの縁部に沿って略一周にわたって断面略半円状の溝部４４５１Ｂ，４４５２Ｂが形成されており、溝部４４５１Ｂと溝部４４５２Ｂとは互いに略鏡面対称の形状関係にある。そして、液晶パネル冷却管４６３１Ｒを各溝部４４５１Ｂ，４４５２Ｂ内に収納した状態で、枠状部材４４５１，４４５２同士が互いに接合されている。本実施形態では、液晶パネル冷却管４６３１Ｒは円形パイプであり、その外径は液晶パネル４４１Ｒの厚みと同程度である。
枠状部材４４５１と枠状部材４４５２との接合は、ネジ等による締結接合、接着接合、溶接接合、嵌合等の機械的接合など、様々な方法が適用可能である。接合方法としては、液晶パネル冷却管４６３１Ｒと枠状部材４４５１，４４５２（あるいは液晶パネル４４１Ｒ）との間の熱伝達性の高い方法が好ましく用いられる。
【０１０３】
液晶パネル冷却管４６３１Ｒの一端には冷却流体の流入部（ＩＮ）が配設され、他端には流出部（ＯＵＴ）が配設されている。液晶パネル冷却管４６３１Ｒの流入部及び流出部はそれぞれ、冷却流体循環用の配管（管部４６９）に接続される。
流入部（ＩＮ）から液晶パネル冷却管４６３１Ｒ内に流入した冷却流体は、液晶パネル４４１Ｒの周縁に沿って略一周にわたって流れ、流出部（ＯＵＴ）から流出する。また、その冷却流体は、液晶パネル冷却管４６３１Ｒ内を流れる間に、液晶パネル４４１Ｒから熱を奪う。すなわち、液晶パネル４４１Ｒの熱が、枠状部材４４５１，４４５２を介して液晶パネル冷却管４６３１Ｒ内の冷却流体に伝達されて外部に運ばれる。
【０１０４】
ここで、この液晶パネル保持枠４４５では、図１６（Ｂ）に示すように、液晶パネル４４１Ｒの厚み方向に関し、液晶パネル４４１Ｒの光束入射面側に近づけて液晶パネル冷却管４６３１Ｒが配設されている。液晶パネル４４１Ｒでは一般に射出面側に比べて、ブラックマトリックスが配置されている入射面側の熱吸収が多い。そのため、温度上昇しやすい入射面側に近づけて液晶パネル冷却管４６３１Ｒが配設されることにより、液晶パネル４４１Ｒの熱が効果的に取り除かれる。
さらに、液晶パネル４４１Ｒの側面には段差が設けられており、入射面に比べて射出面の面積が広い。そのため、面積の小さい入射面側に近づけて液晶パネル冷却管４６３１Ｒが配設されることにより、構成要素の配置の効率化が図られ、装置の小型化が図られる。
【０１０５】
図１７（Ａ）は、入射側偏光板保持枠４４６の組立正面図、図１７（Ｂ）は図１７（Ａ）に示すＢ−Ｂ断面図である。
入射側偏光板保持枠４４６は、液晶パネル保持枠４４５（図１５参照）と概ね同様の構成からなり、図１７（Ａ）及び（Ｂ）に示すように、一対の枠状部材４４６１，４４６２と、偏光板固定板４４６３とを含む。
ここで、入射側偏光板４４２は、透光性基板上に偏光膜フィルムが貼付された構成からなる。
【０１０６】
枠状部材４４６１，４４６２はそれぞれ、平面視略矩形状の枠体であり、入射側偏光板４４２の光透過領域に対応した矩形状の開口部４４６１Ａ，４４６２Ａと、入射側偏光板冷却管４６３２Ｒを収納するための溝部４４６１Ｂ，４４６２Ｂとを有する。枠状部材４４６１と枠状部材４４６２とは、入射側偏光板冷却管４６３２Ｒを間に挟んで互いに対向して配置される。枠状部材４４６１，４４６２としては、熱伝導率が高い材質からなる熱良導体が好ましく用いられ、例えば、アルミニウム、マグネシウムあるいはその合金の他、各種金属が適用される。また、枠状部材４４６１，４４６２は、金属材に限らず、熱伝導率の高い（例えば５Ｗ／（ｍ・Ｋ）以上）の他の材料（樹脂材など）でもよい。
【０１０７】
偏光板固定板４４６３は、図１７（Ａ）及び（Ｂ）に示すように、入射側偏光板４４２の光透過領域に対応した矩形状の開口部４４６３Ａを有する板状部材からなり、入射側偏光板４４２を間に挟んで枠状部材４４６１に固定される。この偏光板固定板４４６３は、図１７（Ｂ）に示すように、入射側偏光板４４２に接触して配され、枠状部材４４６１，４４６２と入射側偏光板４４２とを互いに密着させてそれらを熱的に接続させる機能を有するとともに、入射側偏光板４４２の熱を放熱する機能を有する。また、入射側偏光板４４２の熱の一部は、偏光板固定板４４６３を介して枠状部材４４６１，４４６２に伝達される。
【０１０８】
入射側偏光板冷却管４６３２Ｒは、例えば引き抜き加工や絞り加工等により形成されたシームレスパイプからなり、枠状部材４４６１，４４６２の溝部４４６１Ｂ，４４６２Ｂの形状に応じて折り曲げ加工されている。入射側偏光板冷却管４６３２Ｒとしては、熱伝導率が高い材質からなる熱良導体が好ましく用いられ、例えば、アルミニウム、銅、ステンレスあるいはその合金の他、各種金属が適用される。また、入射側偏光板冷却管４６３２Ｒは、金属材に限らず、熱伝導率の高い（例えば５Ｗ／（ｍ・Ｋ）以上）の他の材料（樹脂材など）でもよい。
【０１０９】
具体的に、入射側偏光板冷却管４６３２Ｒは、図１７（Ａ）及び（Ｂ）に示すように、入射側偏光板４４２の周縁部の外側で、入射側偏光板４４２の周縁部に沿って略一周にわたって配設される。すなわち、枠状部材４４６１，４４６２の各内面（合わせ面、対向面）において、開口部４４６１Ａ，４４６２Ａの縁部に沿って略一周にわたって断面略半円状の溝部４４６１Ｂ，４４６２Ｂが形成されており、溝部４４６１Ｂと溝部４４６２Ｂとは互いに略鏡面対称の形状関係にある。そして、入射側偏光板冷却管４６３２Ｒを各溝部４４６１Ｂ，４４６２Ｂ内に収納した状態で、枠状部材４４６１，４４６２同士が互いに接合されている。本実施形態では、入射側偏光板冷却管４６３２Ｒは円形パイプであり、その外径は入射側偏光板４４２の厚みと同程度である。
枠状部材４４６１と枠状部材４４６２との接合は、ネジ等による締結接合、接着接合、溶接接合、嵌合等の機械的接合など、様々な方法が適用可能である。接合方法として、入射側偏光板冷却管４６３２Ｒと枠状部材４４６１，４４６２（あるいは入射側偏光板４４２）との間の熱伝達性の高い方法が好ましく用いられる。
【０１１０】
入射側偏光板冷却管４６３２Ｒの一端には冷却流体の流入部（ＩＮ）が配設され、他端には流出部（ＯＵＴ）が配設されている。入射側偏光板冷却管４６３２Ｒの流入部及び流出部はそれぞれ、冷却流体循環用の配管（管部４６９）に接続される。
流入部（ＩＮ）から入射側偏光板冷却管４６３２Ｒ内に流入した冷却流体は、入射側偏光板４４２の周縁に沿って略一周にわたって流れ、流出部（ＯＵＴ）から流出する。また、その冷却流体は、入射側偏光板冷却管４６３２Ｒ内を流れる間に、入射側偏光板４４２から熱を奪う。すなわち、入射側偏光板４４２の熱が、枠状部材４４６１，４４６２を介して入射側偏光板冷却管４６３２Ｒ内の冷却流体に伝達されて外部に運ばれる。
【０１１１】
図１８（Ａ）は、射出側偏光板保持枠４４７の組立正面図、図１８（Ｂ）は図１８（Ａ）に示すＣ−Ｃ断面図である。
射出側偏光板保持枠４４７は、入射側偏光板保持枠４４６（図１７参照）と同様の構成からなり、図１８（Ａ）及び（Ｂ）に示すように、一対の枠状部材４４７１，４４７２と、偏光板固定板４４７３とを含む。
ここで、射出側偏光板４４３は、入射側偏光板４４２と同様に、透光性基板上に偏光膜フィルムが貼付された構成からなる。
【０１１２】
枠状部材４４７１，４４７２はそれぞれ、平面視略矩形状の枠体であり、射出側偏光板４４３の光透過領域に対応した矩形状の開口部４４７１Ａ，４４７２Ａと、射出側偏光板冷却管４６３３Ｒを収納するための溝部４４７１Ｂ，４４７２Ｂとを有する。枠状部材４４７１と枠状部材４４７２とは、射出側偏光板冷却管４６３３Ｒを間に挟んで互いに対向して配置される。枠状部材４４７１，４４７２としては、熱伝導率が高い材質からなる熱良導体が好ましく用いられ、例えば、アルミニウム、マグネシウムあるいはその合金の他、各種金属が適用される。また、枠状部材４４７１，４４７２は、金属材に限らず、熱伝導率の高い（例えば５Ｗ／（ｍ・Ｋ）以上）の他の材料（樹脂材など）でもよい。
【０１１３】
偏光板固定板４４７３は、図１８（Ａ）及び（Ｂ）に示すように、射出側偏光板４４３の光透過領域に対応した矩形状の開口部４４７３Ａを有する板状部材からなり、射出側偏光板４４３を間に挟んで枠状部材４４７１に固定される。この偏光板固定板４４７３は、図１８（Ｂ）に示すように、射出側偏光板４４３に接触して配され、枠状部材４４７１，４４７２と射出側偏光板４４３とを互いに密着させてそれらを熱的に接続させる機能を有するとともに、射出側偏光板４４３の熱を放熱する機能を有する。また、射出側偏光板４４３の熱の一部は、偏光板固定板４４７３を介して枠状部材４４７１，４４７２に伝達される。
【０１１４】
射出側偏光板冷却管４６３３Ｒは、例えば引き抜き加工等により形成されたシームレスパイプからなり、枠状部材４４７１，４４７２の溝部４４７１Ｂ，４４７２Ｂの形状に応じて折り曲げ加工されている。射出側偏光板冷却管４６３３Ｒとしては、熱伝導率が高い材質からなる熱良導体が好ましく用いられ、例えば、アルミニウム、銅、ステンレスあるいはその合金の他、各種金属が適用される。また、射出側偏光板冷却管４６３３Ｒは、金属材に限らず、熱伝導率の高い（例えば５Ｗ／（ｍ・Ｋ）以上）の他の材料（樹脂材など）でもよい。
【０１１５】
具体的に、射出側偏光板冷却管４６３３Ｒは、図１８（Ａ）及び（Ｂ）に示すように、射出側偏光板４４３の周縁部の外側で、射出側偏光板４４３の周縁部に沿って略一周にわたって配設される。すなわち、枠状部材４４７１，４４７２の各内面（合わせ面、対向面）において、開口部４４７１Ａ，４４７２Ａの縁部に沿って略一周にわたって断面略半円状の溝部４４７１Ｂ，４４７２Ｂが形成されており、溝部４４７１Ｂと溝部４４７２Ｂとは互いに略鏡面対称の形状関係にある。そして、射出側偏光板冷却管４６３３Ｒを各溝部４４７１Ｂ，４４７２Ｂ内に収納した状態で、枠状部材４４７１，４４７２同士が互いに接合されている。本実施形態では、射出側偏光板冷却管４６３３Ｒは円形パイプからなり、その外径は射出側偏光板４４３の厚みと同程度である。
枠状部材４４７１と枠状部材４４７２との接合は、ネジ等による締結接合、接着接合、溶接接合、嵌合等の機械的接合など、様々な方法が適用可能である。接合方法として、射出側偏光板冷却管４６３３Ｒと枠状部材４４７１，４４７２（あるいは射出側偏光板４４３）との間の熱伝達性の高い方法が好ましく用いられる。
【０１１６】
射出側偏光板冷却管４６３３Ｒの一端には冷却流体の流入部（ＩＮ）が配設され、他端には流出部（ＯＵＴ）が配設されている。射出側偏光板冷却管４６３３Ｒの流入部及び流出部はそれぞれ、冷却流体循環用の配管（管部４６９）に接続される。
流入部（ＩＮ）から射出側偏光板冷却管４６３３Ｒ内に流入した冷却流体は、射出側偏光板４４３の周縁に沿って略一周にわたって流れ、流出部（ＯＵＴ）から流出する。また、その冷却流体は、射出側偏光板冷却管４６３３Ｒ内を流れる間に、射出側偏光板４４３から熱を奪う。すなわち、射出側偏光板４４３の熱が、枠状部材４４７１，４４７２を介して射出側偏光板冷却管４６３３Ｒ内の冷却流体に伝達されて外部に運ばれる。
【０１１７】
このように、本実施形態では、赤色光に関して、液晶パネル４４１Ｒ、入射側偏光板４４２、射出側偏光板４４３の各素子の保持枠４４５，４４６，４４７の内部に素子冷却管４６３１Ｒ，４６３２Ｒ，４６３３Ｒが配設されており、その素子冷却管４６３１Ｒ，４６３２Ｒ，４６３３Ｒに流れる冷却流体によって各素子４４１Ｒ，４４２，４４３の熱が適宜取り除かれる。すなわち、各保持枠４４５，４４６，４４７を介して各素子４４１Ｒ，４４２，４４３と素子冷却管４６３１Ｒ，４６３２Ｒ，４６３３Ｒとが熱的に接続されており、各素子４４１Ｒ，４４２，４４３と素子冷却管４６３１Ｒ，４６３２Ｒ，４６３３Ｒ内の冷却流体との間で熱交換がなされることで、各素子４４１Ｒ，４４２，４４３の熱が保持枠４４５，４４６，４４７を介して素子冷却管４６３１Ｒ，４６３２Ｒ，４６３３Ｒ内の冷却流体に伝達される。そして、各素子４４１Ｒ，４４２，４４３の熱が冷却流体に移動することにより、各素子４４１Ｒ，４４２，４４３が冷却される。
【０１１８】
また、本実施形態では、各素子冷却管４６３１Ｒ，４６３２Ｒ，４６３３Ｒが、各素子４４１Ｒ，４４２，４４３の周縁部に沿って略一周にわたって配設されていることから、伝熱面積の拡大が図られており、各素子が効果的に冷却される。
しかも、冷却流体の経路（素子冷却管４６３１Ｒ，４６３２Ｒ，４６３３Ｒ）が各素子４４１Ｒ，４４２，４４３の周縁部に沿って配設されることにより、冷却流体中を画像形成用の光束が通過することがなく、そのため、液晶パネル４４１Ｒにて形成される光学像に冷却流体中の気泡や塵埃等の像が含まれたり、冷却流体の温度分布に伴う光学像の揺らぎが発生したりといったことが回避される。
【０１１９】
また、本実施形態では、各素子４４１Ｒ，４４２，４４３の周縁部における冷却流体の経路が管（素子冷却管４６３１Ｒ，４６３２Ｒ，４６３３Ｒ）によって形成されるから、経路形成のための接合部が比較的少なくて済む。接合部の数あるいは面積が少ないことで、構成の簡素化が図られるとともに、冷却流体の漏れが防止される。
【０１２０】
このように、本実施形態によれば、冷却流体を用いることによる不具合の発生を抑えつつ、各素子４４１Ｒ，４４２，４４３の温度上昇を効果的に抑制することができる。
なお、素子保持枠４４５，４４６，４４７の内部に素子冷却管４６３１Ｒ，４６３２Ｒ，４６３３Ｒを配設した構造は、保持枠４４５，４４６，４４７が、各素子４４１Ｒ，４４２，４４３の保持手段と冷却手段とを兼ねており、その結果、小型化を図りやすく、小型の光学素子に好ましく適用可能である。
例えば、本実施形態では、各素子４４１Ｒ，４４２，４４３の周縁部の外側に、各素子の厚みと同程度の外径を有する素子冷却管４６３１Ｒ，４６３２Ｒ，４６３３Ｒを配設しており、冷却流体経路を備えることによる厚み方向の拡大が抑制されている。
【０１２１】
以上、光学装置４４（図１１参照）における赤色光用のパネル構成及びその冷却構造について代表的に説明したが、緑色光及び青色光に関してもこれと同様であり、各素子（液晶パネル、入射側偏光板、射出側偏光板）が個別に保持枠に保持され、その保持枠の内部に素子冷却管が配設されている。
すなわち、本実施形態では、３枚の液晶パネル４４１Ｒ，４４１Ｇ，４４１Ｂと、３つの入射側偏光板４４２と、３つの射出側偏光板４４３とを含む合計９つの光学素子が、冷却流体を用いて個別に冷却される。各素子が個別に冷却されることにより、各素子の温度上昇に伴う不具合の発生が確実に防止される。
【０１２２】
（配管系統）
図１９は、上記した光学装置４４における冷却流体の流れを示す配管系統図である。
図１９に示すように、本実施形態では、光学装置４４における、３枚の液晶パネル４４１Ｒ，４４１Ｇ，４４１Ｂと、３つの入射側偏光板４４２と、３つの射出側偏光板４４３とを含む合計９つの光学素子に対して、冷却流体の経路が並行に設けられている。
【０１２３】
具体的に、赤色光に関する液晶パネル冷却管４６３１Ｒと入射側偏光板冷却管４６３２Ｒと射出側偏光板冷却管４６３３Ｒとを含む３つの素子冷却管はそれぞれ、一端が分岐タンク４６４に接続されかつ他端が合流タンク４６５に接続されている。同様に、緑色光に関する３つの素子冷却管４６３１Ｇ，４６３２Ｇ，４６３３Ｇ、及び青色光に関する３つの素子冷却管４６３１Ｂ，４６３２Ｂ，４６３３Ｂもそれぞれ、一端が分岐タンク４６４に接続されかつ他端が合流タンク４６５に接続されている。その結果、上記の９つの素子冷却管が分岐タンク４６４と合流タンク４６５との間の冷却流体の経路上で並列に配置されている。
【０１２４】
冷却流体は、分岐タンク４６４で各色毎に３つずつの合計９つの経路に分岐し、９つの素子冷却管（４６３１Ｒ，４６３２Ｒ，４６３３Ｒ，４６３１Ｇ，４６３２Ｇ，４６３３Ｇ，４６３１Ｂ，４６３２Ｂ，４６３３Ｂ）内を並行して流れる。上記の９つの素子冷却管が冷却流体の経路上で並列に配置されていることから、各素子冷却管内にほぼ同じ温度の冷却流体が流入する。各素子の周縁に沿って、各素子冷却管内を冷却流体が流れることにより、各素子が冷却されるとともに、各素子冷却管を流れる冷却流体の温度が上昇する。この熱交換の後、冷却流体は合流タンク４６５内で合流し、先に説明したラジエータ４６６（図１０参照）での放熱により冷却される。そして、温度が下がった冷却流体が再び分岐タンク４６４に供給される。
【０１２５】
本実施形態では、９つの光学素子に対応する上記の９つの素子冷却管が冷却流体の経路上で並列に配置されていることから、分岐タンク４６４から合流タンク４６５に至る冷却流体の経路の長さが比較的短く、その経路での圧力損失による流路抵抗が小さい。そのため、各素子冷却管が小径であっても冷却流体の流量を確保しやすく、また各素子のそれぞれに対して比較的低温の冷却流体が供給されるから、各素子が効果的に冷却される。
【０１２６】
なお、上記の９つの光学素子のうち、発熱が少ない素子に対し、素子冷却管の配設を省略してもよい。例えば、入射側偏光板４４２あるいは射出側偏光板４４３が無機偏光板等の光束の吸収の少ない形態である場合には、それらに対して冷却管を省略する構成とすることができる。
また、複数の素子冷却管を冷却流体の経路上ですべて並列に配置する構成に限らず、少なくとも一部を直列に配置する構成としてもよい。この場合、各素子の発熱量に応じてその経路を定めるとよい。
【０１２７】
図２０は、上記配管系統の変形例を示している。なお、図１９と共通の構成要素には同一の符号を付している。
図２０の例では、光学装置４４における、３枚の液晶パネル４４１Ｒ，４４１Ｇ，４４１Ｂと、３つの入射側偏光板４４２と、３つの射出側偏光板４４３とを含む合計９つの光学素子に対してそれぞれ素子冷却管（４６３１Ｒ，４６３２Ｒ，４６３３Ｒ，４６３１Ｇ，４６３２Ｇ，４６３３Ｇ，４６３１Ｂ，４６３２Ｂ，４６３３Ｂ）が配設されるとともに、冷却流体の経路が色毎に直列に設けられている。
【０１２８】
具体的に、赤色光に関し、分岐タンク４６４の流出部と射出側偏光板冷却管４６３３Ｒの流入部とが接続され、射出側偏光板冷却管４６３３Ｒの流出部と液晶パネル冷却管４６３１Ｒの流入部とが接続され、液晶パネル冷却管４６３１Ｒの流出部と入射側偏光板冷却管４６３２Ｒの流入部とが接続され、入射側偏光板冷却管４６３２Ｒの流出部と合流タンク４６５の流入部とが接続されている。すなわち、分岐タンク４６４から合流タンク４６５に向かって、射出側偏光板冷却管４６３３Ｒ、液晶パネル冷却管４６３１Ｒ、入射側偏光板冷却管４６３２Ｒの順に、それらが直列に配置されている。同様に、緑色光に関して、分岐タンク４６４から合流タンク４６５に向かって、射出側偏光板冷却管４６３３Ｇ、液晶パネル冷却管４６３１Ｇ、入射側偏光板冷却管４６３２Ｇの順にそれらが直列に配置されている。また、青色光に関しても同様に、分岐タンク４６４から合流タンク４６５に向かって、射出側偏光板冷却管４６３３Ｂ、液晶パネル冷却管４６３１Ｂ、入射側偏光板冷却管４６３２Ｂの順にそれらが直列に配置されている。
【０１２９】
冷却流体は、分岐タンク４６４で３つの経路に分岐する。そして、各色毎にそれぞれ、最初に射出側偏光板冷却管４６３３Ｒ，４６３３Ｇ，４６３３Ｂを流れ、次に液晶パネル冷却管４６３１Ｒ，４６３１Ｇ，４６３１Ｂを流れ、最後に入射側偏光板冷却管４６３２Ｒ，４６３２Ｇ，４６３２Ｂを流れる。各素子の周縁に沿って、各素子冷却管内を冷却流体が流れることにより、各素子が冷却されるとともに、各素子冷却管を流れる冷却流体の温度が上昇する。本例では、各色毎に３つの素子冷却管が直列に配置されていることから、冷却流体の流入時の温度（入口温度）は、上流側の射出側偏光板冷却管４６３３Ｒ，４６３３Ｇ，４６３３Ｂで最も低く、液晶パネル冷却管４６３１Ｒ，４６３１Ｇ，４６３１Ｂで次に低く、下流側の入射側偏光板冷却管４６３２Ｒ，４６３２Ｇ，４６３２Ｂで比較的高くなる。その後、冷却流体は合流タンク４６５内で合流し、先に説明したラジエータ４６６（図１０参照）での放熱により冷却される。そして、温度が下がった冷却流体が再び分岐タンク４６４に供給される。
【０１３０】
ここで、液晶パネル４４１Ｒ，４４１Ｇ，４４１Ｂでは、液晶層による光吸収とともに、駆動基板に形成されたデータ線及び走査線や、対向基板に形成されたブラックマトリックス等で光束が一部吸収される。また、入射側偏光板４４２では、入射する光束が上流側の偏光変換素子４１４（図８参照）によって略１種類の偏光光に変換されたものであり、その光束のほとんどが透過し、光束の吸収は比較的少ない。また、射出側偏光板４４３では、入射する光束が画像情報に基づいて偏光方向が変調されたものであり、通常その光束の吸収量は入射側偏光板４４２よりも多い。
そして、光学装置４４における発熱量は、入射側偏光板、液晶パネル、射出側偏光板、の順に高くなる傾向にある（入射側偏光板 ＜ 液晶パネル ＜ 射出側偏光板）。
【０１３１】
この図２０の例では、各色毎に３つずつの素子冷却管が冷却流体の経路上で直列に配置されていることから、９つの素子冷却管をすべて並列に配置する構成に比べて、配管スペースの縮小化が図られる。
また、比較的発熱量が高い射出側偏光板４４３に対して最初に冷却流体を供給するので、射出側偏光板４４３が確実に冷却される。
【０１３２】
なお、上記の例では発熱量の高い順に上流側から素子冷却管を直列に配置しているがこれに限らない。発熱量の低い順に上流側から素子冷却管を直列に配置してもよく、あるいは別の順であってもよい。配置の順序は、複数の素子の間の発熱量の差、素子冷却管の冷却能力等に応じて定められる。
さらに、各色毎に複数の素子冷却管をすべて直列に配置するのに限らず、次に説明するように一部のみを直列に配置する構成でもよい。
【０１３３】
図２１は、上記配管系統の別の変形例を示している。なお、図２１と共通の構成要素には同一の符号を付している。
図２１の例では、光学装置４４における、３枚の液晶パネル４４１Ｒ，４４１Ｇ，４４１Ｂと、３つの入射側偏光板４４２と、３つの射出側偏光板４４３とを含む合計９つの光学素子に対してそれぞれ素子冷却管（４６３１Ｒ，４６３２Ｒ，４６３３Ｒ，４６３１Ｇ，４６３２Ｇ，４６３３Ｇ，４６３１Ｂ，４６３２Ｂ，４６３３Ｂ）が配設されるとともに、冷却流体の経路が各色毎に一部で直列に設けられている。
【０１３４】
具体的に、赤色光に関し、分岐タンク４６４から合流タンク４６５に向かって、液晶パネル冷却管４６３１Ｒ、入射側偏光板冷却管４６３２Ｒの順にそれらが直列に配置され、これと並行して射出側偏光板冷却管４６３３Ｒが配置されている。すなわち、分岐タンク４６４の流出部と液晶パネル冷却管４６３１Ｒの流入部とが接続され、液晶パネル冷却管４６３１Ｒの流出部と入射側偏光板冷却管４６３２Ｒの流入部とが接続され、入射側偏光板冷却管４６３２Ｒの流出部と合流タンク４６５の流入部とが接続されている。また、分岐タンク４６４の流出部と射出側偏光板冷却管４６３３Ｒの流入部とが接続され、射出側偏光板冷却管４６３３Ｒの流出部と合流タンク４６５の流入部とが接続されている。同様に、緑色光に関して、分岐タンク４６４から合流タンク４６５に向かって、液晶パネル冷却管４６３１Ｇ、入射側偏光板冷却管４６３２Ｇの順にそれらが直列に配置され、これと並行して射出側偏光板冷却管４６３３Ｇが配置されている。青色光に関しても同様に、液晶パネル冷却管４６３１Ｂ、入射側偏光板冷却管４６３２Ｂの順にそれらが直列に配置され、これと並行して射出側偏光板冷却管４６３３Ｂが配置されている。
【０１３５】
冷却流体は、分岐タンク４６４で各色毎に２つずつの合計６つの経路に分岐する。そして、その冷却流体は、各色毎にそれぞれ、最初に液晶パネル冷却管４６３１Ｒ，４６３１Ｇ，４６３１Ｂと射出側偏光板冷却管４６３３Ｒ，４６３３Ｇ，４６３３Ｂとに流入する。液晶パネル冷却管４６３１Ｒ，４６３１Ｇ，４６３１Ｂを流れた冷却流体は、次に入射側偏光板冷却管４６３２Ｒ，４６３２Ｇ，４６３２Ｂを流れ、その後に合流タンク４６５に向かう。一方、射出側偏光板冷却管４６３３Ｒ，４６３３Ｇ，４６３３Ｂを流れた冷却流体は、各色毎にそれぞれ、射出側偏光板冷却管４６３３Ｒ，４６３３Ｇ，４６３３Ｂからそのまま合流タンク４６５に向かう。各素子の周縁に沿って、各素子冷却管内を冷却流体が流れることにより、各素子が冷却されるとともに、各素子冷却管を流れる冷却流体の温度が上昇する。本例では、冷却流体の流入時の温度（入口温度）は、上流側の液晶パネル冷却管４６３１Ｒ，４６３１Ｇ，４６３１Ｂと射出側偏光板冷却管４６３３Ｒ，４６３３Ｇ，４６３３Ｂとで比較的低く、入射側偏光板冷却管４６３２Ｒ，４６３２Ｇ，４６３２Ｂで比較的高い。また、上記したように射出側偏光板４４３の発熱量が他の素子に比べて最も高いことから、射出側偏光板冷却管４６３３Ｒ，４６３３Ｇ，４６３３Ｂにおける冷却流体の流出時の温度（出口温度）は比較的高く、これと比べて液晶パネル冷却管４６３１Ｒ，４６３１Ｇ，４６３１Ｂの出口温度は比較的低い。そのため、この図２１の例では、入射側偏光板冷却管４６３２Ｒ，４６３２Ｇ，４６３２Ｂの入口温度は、先の図２０の例に比べて低くなる。各素子周縁を流れた冷却流体はその後、合流タンク４６５内で合流し、先に説明したラジエータ４６６（図１０参照）での放熱により冷却される。そして、温度が下がった冷却流体が再び分岐タンク４６４に供給される。
【０１３６】
この図２１の例では、各色毎に２つの素子冷却管が直列に配置されかつそれと並行して他の１つの素子冷却管が配置されていることから、９つの素子冷却管をすべて並列に配置する構成に比べて、配管スペースの縮小化が図られる。
また、発熱量の高い射出側偏光板４４３に対する冷却経路と並行して、液晶パネル４４１Ｒ，４４１Ｇ，４４１Ｂ及び入射側偏光板４４２に対して冷却経路が設けられていることにより、射出側偏光板４４３の熱影響が他の素子に及ぶのが回避され、液晶パネル４４１Ｒ，４４１Ｇ，４４１Ｂ及び入射側偏光板４４２が効果的に冷却される。
【０１３７】
なお、上記の図１９、図２０、及び図２１の例では、赤（Ｒ）、緑（Ｇ）、青（Ｂ）の３色の冷却構造がそれぞれ同じ構成であるが、色毎に異なる構成であってもよい。例えば、赤色光及び青色光に関しては図２０または図２１の構成を採用し、緑色光に関しては図１９または図２１の構成を採用してもよい。あるいは他の組み合わせでもよい。
ここで、緑色光は一般に光強度が比較的強いことからその光学素子も温度上昇しやすい。そのため、緑色光に関しては冷却効果が高い冷却構造を採用し、他の赤色光及び青色光に関しては簡素な構成の冷却構造を採用することにより、配管スペースの縮小化と素子冷却の効率化とが図られる。
【０１３８】
また、上記の図１９、図２０、及び図２１の例では、分岐タンク４６４は、冷却流体の経路を、赤、緑、青の３色に対応して少なくとも３つに分岐しているがこれに限定されない。例えば、分岐タンク４６４は、冷却流体の経路を、赤色光と青色光とに関する系統と、緑色光に関する系統とに分岐する構成であってもよい。この場合、例えば、赤色光と青色光に関する冷却構造を直列に配置し、これと並行して緑色光に関する冷却構造を配置することにより、上記と同様に、配管スペースの縮小化と素子冷却の効率化とを図ることが可能である。
【０１３９】
上記実施形態では、３つの液晶パネルを用いたプロジェクタの例について説明したが、本発明は、１つの液晶パネルのみを用いたプロジェクタ、２つの液晶パネルのみを用いたプロジェクタ、あるいは４つ以上の液晶パネルを用いたプロジェクタにも本発明は適用可能である。
また、透過型の液晶パネルに限らず、反射型の液晶パネルを用いてもよい。
また、光変調素子としては、液晶パネルに限らず、マイクロミラーを用いたデバイスなど、液晶以外の光変調素子を用いてもよい。この場合、光束入射側及び光束射出側の偏光板は省略できる。
また、本発明は、スクリーンを観察する方向から投射を行うフロントタイプのプロジェクタ、及びスクリーンを観察する方向とは反対側から投射を行うリアタイプのプロジェクタにも適用可能である。
【０１４０】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【０１４１】
【図１】（Ａ）は冷却ユニットの構成を示す平面図、（Ｂ）は（Ａ）に示すＡ−Ａ断面図。
【図２】板状部材の溝部を拡大して示す部分断面図。
【図３】冷却ユニットの製造方法の一例を示す説明図。
【図４】冷却ユニットの製造方法の変形例を示す説明図。
【図５】冷却ユニットの製造方法の変形例を示す説明図。
【図６】冷却ユニットの製造方法の変形例を示す説明図。
【図７】冷却ユニットの製造方法の変形例を示す説明図。
【図８】プロジェクタの概略構成を模式的に示す図。
【図９】プロジェクタ内の一部を上方側から見た斜視図。
【図１０】プロジェクタ内における光学装置と液冷ユニットを下方から見た斜視図。
【図１１】光学装置の全体構成を示す斜視図。
【図１２】分岐タンクの全体構成を示す斜視図。
【図１３】合流タンクの全体構成を示す斜視図。
【図１４】光学装置における赤色光用のパネル構成を示す部分斜視図。
【図１５】液晶パネル保持枠の分解斜視図。
【図１６】（Ａ）は液晶パネル保持枠の組立正面図、（Ｂ）は（Ａ）に示すＡ−Ａ断面図。
【図１７】（Ａ）は入射側偏光板保持枠の組立正面図、（Ｂ）は（Ａ）に示すＢ−Ｂ断面図。
【図１８】（Ａ）は射出側偏光板保持枠の組立正面図、（Ｂ）は（Ａ）に示すＣ−Ｃ断面図。
【図１９】光学装置における冷却流体の流れを示す配管系統図。
【図２０】配管系統の変形例を示す図。
【図２１】配管系統の別の変形例を示す図。
【符号の説明】
【０１４２】
Ａ…照明光軸、１…プロジェクタ、２…外装ケース、３…空冷装置、４…光学ユニット、５…投射レンズ（投射光学系）、１０…冷却ユニット、１１…光学素子、１２，１３…板状部材（枠状部材）、１４…冷却管、４４…光学装置、４６…液冷ユニット、１２２，１３２…溝部、１２３，１３３…対向面、１２４，１３４…突起部、１２７，１３７…バンク（隣接部位）、１２８，１３８…凹部、１２９，１３９…凸部、１４０…熱伝導材、１４５，１４６…治具、１４７，１４８…穴、１４９，１５０…別部材、４１１…光源ユニット、４１６…光源ランプ、４４１，４４１Ｒ，４４１Ｇ，４４１Ｂ…液晶パネル（光学素子）、４４２…入射側偏光板（光学素子）、４４３…射出側偏光板（光学素子）、４４４…クロスダイクロイックプリズム、４４５…液晶パネル保持枠、４４５１，４４５２…枠状部材、４４５１Ｂ，４４５２Ｂ…溝部、４４６…入射側偏光板保持枠、４４６１，４４６２…枠状部材、４４６１Ｂ，４４６２Ｂ…溝部、４４７…射出側偏光板保持枠、４４７１，４４７２…枠状部材、４４７１Ｂ，４４７２Ｂ…溝部、４６１…メインタンク、４６２…流体圧送部、４６３…素子冷却管、４６３１Ｒ…液晶パネル冷却管、４６３２Ｒ…入射側偏光板冷却管、４６３３Ｒ…射出側偏光板冷却管、４６４…分岐タンク、４６５…合流タンク、４６６…ラジエータ、４６６２…放熱フィン、４６７…軸流ファン。
【図１】
2006242415.tif 000003
【図２】
2006242415.tif 000004
【図３】
2006242415.tif 000005
【図４】
2006242415.tif 000006
【図５】
2006242415.tif 000007
【図６】
2006242415.tif 000008
【図７】
2006242415.tif 000009
【図８】
2006242415.tif 000010
【図９】
2006242415.tif 000011
【図１０】
2006242415.tif 000012
【図１１】
2006242415.tif 000013
【図１２】
2006242415.tif 000014
【図１３】
2006242415.tif 000015
【図１４】
2006242415.tif 000016
【図１５】
2006242415.tif 000017
【図１６】
2006242415.tif 000018
【図１７】
2006242415.tif 000019
【図１８】
2006242415.tif 000020
【図１９】
2006242415.tif 000021
【図２０】
2006242415.tif 000022
【図２１】
2006242415.tif 000023
【手続補正書】
【提出日】平成18年5月22日(2006.5.22)
【手続補正１】
【補正対象書類名】明細書
【補正対象項目名】００７２
【補正方法】変更
【補正の内容】
【００７２】
この際、色分離光学系４２のダイクロイックミラー４２１では、インテグレータ照明光学系４１から射出された光束の赤色光成分が反射するとともに、緑色光成分と青色光成分とが透過する。ダイクロイックミラー４２１によって反射した赤色光は、反射ミラー４２３で反射し、フィールドレンズ４１８を通って光学装置４４の後述する赤色光用の液晶パネルに達する。このフィールドレンズ４１８は、第２レンズアレイ４１３から射出された各部分光束をその中心軸（主光線）に対して平行な光束に変換する。他の緑色光用、青色光用の液晶パネルの光入射側に設けられたフィールドレンズ４１８も同様である。